(57)【要約】      （修正有）【課題】吸収液再生装置から得られる流体の温度を調節しやすい吸収液再生装置及びＣＯ２回収装置並びに吸収液再生方法の提供。【解決手段】ＣＯ２を吸収した吸収液からＣＯ２を分離して吸収液を再生するための再生塔６と、ＣＯ２を吸収した吸収液を再生塔に供給するための主リッチ液ライン１０と、主リッチ液ラインに設けられ、主リッチ液ラインを流れる吸収液を加熱するための第１加熱部１８と、主リッチ液ラインから分岐して、主リッチ液ラインを流れる吸収液の一部を再生塔に供給するための分岐リッチ液ライン１２とを備え、分岐リッチ液ラインは、主リッチ液ライン上において第１加熱部よりも上流側に位置する第１分岐点から分岐する第１分岐部１２ａと、第１加熱部よりも下流側に位置する第２分岐点から分岐する第２分岐部１２ｂとを含み、第１分岐部を流れる吸収液の第１流量と第２分岐部を流れる吸収液の第２流量との比を調節する調節部６０を備える。【選択図】図１
2020151662.tif 000002
【特許請求の範囲】
【請求項１】
ＣＯ２を吸収した吸収液からＣＯ２を分離して前記吸収液を再生するための再生塔と、
ＣＯ２を吸収した前記吸収液を前記再生塔に供給するための主リッチ液ラインと、
前記主リッチ液ラインに設けられ、前記主リッチ液ラインを流れる前記吸収液を加熱するための第１加熱部と、
前記主リッチ液ラインから分岐して、前記主リッチ液ラインを流れる前記吸収液の一部を前記再生塔に供給するための分岐リッチ液ラインと、
を備え、
前記分岐リッチ液ラインは、
前記主リッチ液ライン上において前記第１加熱部よりも上流側に位置する第１分岐点から分岐する第１分岐部と、
前記主リッチ液ライン上において前記第１加熱部よりも下流側に位置する第２分岐点から分岐する第２分岐部と、を含み、
前記第１分岐部を流れる前記吸収液の第１流量と、前記第２分岐部を流れる前記吸収液の第２流量との比を調節するための調節部をさらに備える
吸収液再生装置。
【請求項２】
前記調節部は、前記主リッチ液ラインから前記分岐リッチ液ラインに分流される前記吸収液の流量を調節可能に構成された
請求項１に記載の吸収液再生装置。
【請求項３】
前記調節部は、前記第１分岐部に設けられ、前記第１流量を調節するための第１バルブ、または、前記第２分岐部に設けられ、前記第２流量を調節するための第２バルブの少なくとも一方を含む
請求項１又は２に記載の吸収液再生装置。
【請求項４】
前記調節部は、前記再生塔の塔頂部の温度が規定範囲内となるように、前記第１流量と前記第２流量の前記比を調節するように構成された
請求項１乃至３の何れか一項に記載の吸収液再生装置。
【請求項５】
前記調節部は、前記第２分岐部よりも下流側の前記主リッチ液ラインにおける前記吸収液の温度が規定範囲内となるように、前記第１流量と前記第２流量の前記比を調節するように構成された
請求項１乃至４の何れか一項に記載の吸収液再生装置。
【請求項６】
前記分岐リッチ液ラインは、前記第１分岐部と前記第２分岐部との合流点よりも下流側の部位である下流部を含み、
前記再生塔から抜き出された吸収液を、蒸気との熱交換により加熱するための再生加熱器と、
前記再生加熱器に供給される蒸気が流れる蒸気ラインと、
前記蒸気ラインに設けられ、前記再生加熱器で前記吸収液を加熱した後の蒸気の凝縮水との熱交換により、前記下流部を流れる前記吸収液を加熱するように構成された第２加熱部と、をさらに備え、
前記調節部は、前記第２加熱部よりも下流側における前記蒸気ライン内の前記凝縮水の温度が規定範囲内となるように、前記第１流量と前記第２流量の前記比を調節するように構成された
請求項１乃至５の何れか一項に記載の吸収液再生装置。
【請求項７】
前記分岐リッチ液ラインは、前記第１分岐部と前記第２分岐部との合流点よりも下流側の部位である下流部を含み、
前記再生塔から抜き出された吸収液を、蒸気との熱交換により加熱するための再生加熱器と、
前記再生加熱器に供給される蒸気が流れる蒸気ラインと、
前記蒸気ラインに設けられ、前記再生加熱器で前記吸収液を加熱した後の蒸気の凝縮水との熱交換により、前記下流部を流れる前記吸収液を加熱するように構成された第２加熱部と、をさらに備え、
前記調節部は、前記第２加熱部よりも上流側における前記下流部における前記吸収液の温度が規定範囲内となるように、前記第１流量と前記第２流量の前記比を調節するように構成された
請求項１乃至６の何れか一項に記載の吸収液再生装置。
【請求項８】
ＣＯ２を含む排ガスと吸収液とを接触させて前記吸収液に前記排ガス中のＣＯ２を吸収させるように構成された吸収塔と、
請求項１乃至７の何れか一項に記載の吸収液再生装置と、を備え、
前記主リッチ液ラインは、前記吸収塔にてＣＯ２を吸収した前記吸収液を、前記再生塔に供給するように構成された
ＣＯ２回収装置。
【請求項９】
ＣＯ２を吸収した吸収液を、主リッチ液ラインを介して再生塔に供給するステップと、
前記再生塔において、前記吸収液からＣＯ２を分離して前記吸収液を再生するステップと、
前記主リッチ液ラインに設けられた第１加熱部により、前記主リッチ液ラインを流れる前記吸収液を加熱するステップと、
前記主リッチ液ラインから分岐した分岐リッチ液ラインに、前記主リッチ液ラインを流れる前記吸収液の一部を分流させるステップと、を備え、
前記分流させるステップでは、
前記主リッチ液ライン上において前記第１加熱部よりも上流側に位置する第１分岐点から分岐する第１分岐部、及び、前記主リッチ液ライン上において前記第１加熱部よりも下流側に位置する第２分岐点から分岐する第２分岐部において前記吸収液の一部を分流させ、
前記第１分岐部を流れる前記吸収液の第１流量と、前記第２分岐部を流れる前記吸収液の第２流量との比を調節する調節ステップをさらに備える
吸収液再生方法。
【請求項１０】
前記調節ステップでは、前記主リッチ液ラインから前記分岐リッチ液ラインに分流される前記吸収液の流量を調節する
請求項９に記載の吸収液再生方法。
【請求項１１】
前記調節ステップでは、前記第１分岐部に設けられた第１バルブで前記第１流量を調節する、または、前記第２分岐部に設けられた第２バルブで前記第２流量を調節する
請求項９又は１０に記載の吸収液再生方法。
【請求項１２】
前記調節ステップでは、前記再生塔の塔頂部の温度が規定範囲内となるように、前記第１流量と前記第２流量の前記比を調節する
請求項９乃至１１の何れか一項に記載の吸収液再生方法。
【請求項１３】
前記調節ステップでは、前記第２分岐部よりも下流側の前記主リッチ液ラインにおける前記吸収液の温度が規定範囲内となるように、前記第１流量と前記第２流量の前記比を調節する
請求項９乃至１２の何れか一項に記載の吸収液再生方法。
【請求項１４】
前記分岐リッチ液ラインは、前記第１分岐部と前記第２分岐部との合流点よりも下流側の部位である下流部を含み、
前記再生塔から吸収液を抜き出し、該吸収液を再生加熱器にて蒸気との熱交換により加熱するステップと、
蒸気ラインを介して前記再生加熱器に前記蒸気を供給ステップと、
前記蒸気ラインに設けられた第２加熱部にて、前記再生加熱器で前記吸収液を加熱した後の蒸気の凝縮水との熱交換により、前記下流部を流れる前記吸収液を加熱するステップと、をさらに備え、
前記調節ステップでは、前記第２加熱部よりも下流側における前記蒸気ライン内の前記凝縮水の温度が規定範囲内となるように、前記第１流量と前記第２流量の前記比を調節する
請求項９乃至１３の何れか一項に記載の吸収液再生方法。
【請求項１５】
前記分岐リッチ液ラインは、前記第１分岐部と前記第２分岐部との合流点よりも下流側の部位である下流部を含み、
前記再生塔から吸収液を抜き出し、該吸収液を再生加熱器にて蒸気との熱交換により加熱するステップと、
蒸気ラインを介して前記再生加熱器に前記蒸気を供給ステップと、
前記蒸気ラインに設けられた第２加熱部にて、前記再生加熱器で前記吸収液を加熱した後の蒸気の凝縮水との熱交換により、前記下流部を流れる前記吸収液を加熱するステップと、をさらに備え、
前記調節ステップでは、前記第２加熱部よりも上流側における前記下流部における前記吸収液の温度が規定範囲内となるように、前記第１流量と前記第２流量の前記比を調節する
請求項９乃至１４の何れか一項に記載の吸収液再生方法。
【発明の詳細な説明】
【技術分野】
【０００１】
本開示は、吸収液再生装置及びＣＯ２回収装置並びに吸収液再生方法に関する。
【背景技術】
【０００２】
燃料の燃焼等により生成する排ガス中のＣＯ２を回収する方法として、排ガスとＣＯ２吸収液とを気液接触させて、排ガス中のＣＯ２を回収する方法が提案されている。
【０００３】
例えば、特許文献１には、吸収塔及び再生塔を含むＣＯ２回収装置が記載されている吸収塔では、ＣＯ２含有ガスと吸収液とを接触させて、ＣＯ２を吸収液に吸収させることによりガスから除去するようになっている。吸収塔でＣＯ２を吸収した吸収液（リッチ液）は再生塔に導かれ、再生加熱器において蒸気で加熱されることにより吸収液からＣＯ２が除去されるようになっている。このように再生された吸収液（リーン溶液）は、再び吸収塔に戻されて、ＣＯ２吸収液として再使用されるようになっている。
【０００４】
また、特許文献１には、吸収塔から再生塔に向かう吸収液（リッチ液）の一部を分岐し、分岐した吸収液を、再生加熱器からの蒸気凝縮水の予熱で加熱してから、再生塔に導くことが記載されている。このように、再生加熱器で使用されたスチーム凝縮水の余熱を利用して吸収液を加熱することにより、吸収液の再生に必要な蒸気消費量（すなわち再生加熱器での蒸気消費量）の削減が図られている。
【先行技術文献】
【特許文献】
【０００５】
【特許文献１】特開２００５−２５４２１２号公報
【発明の概要】
【発明が解決しようとする課題】
【０００６】
ところで、吸収塔を含む吸収液再生装置内において、吸収液由来の流体や吸収液と熱交換した後の流体を、製品として取り出したり設備で利用したりすることがある。このように装置から得られる流体（製品ＣＯ２や蒸気凝縮水等）は、用途等に応じて所定の温度条件を満たすことが要求される。
【０００７】
一方、例えば上記特許文献１に記載される装置のように、吸収塔から再生塔に向かう吸収液（リッチ液）の一部を分岐して再生塔に導く方式の装置の場合、吸収塔頭頂部の温度が上昇する傾向がある。このため、吸収塔塔頂部を経由して装置から取り出される流体（製品ＣＯ２）の温度は高くなる傾向があり、製品として要求される温度条件を超えてしまう場合がある。また、装置の運転条件（気温等）の変化により、装置から得られる流体の温度は変動し得るため、例えば気温が高い場合や低い場合等に、該流体の温度を適正範囲内に維持することができなくなる場合がある。あるいは、装置から得られる流体について要求される温度条件が変更される場合に、該流体の温度を適切に変化させる必要がある。
このような事情から、装置から得られる流体の温度を適切に調節可能とすることが求められる。
【０００８】
上述の事情に鑑みて、本発明の少なくとも一実施形態は、吸収液再生装置から得られる流体の温度を調節しやすい吸収液再生装置及びＣＯ２回収装置並びに吸収液再生方法を提供することを目的とする。
【課題を解決するための手段】
【０００９】
（１）本発明の少なくとも一実施形態に係る吸収液再生装置は、
ＣＯ２を吸収した吸収液からＣＯ２を分離して前記吸収液を再生するための再生塔と、
ＣＯ２を吸収した前記吸収液を前記再生塔に供給するための主リッチ液ラインと、
前記主リッチ液ラインに設けられ、前記主リッチ液ラインを流れる前記吸収液を加熱するための第１加熱部と、
前記主リッチ液ラインから分岐して、前記主リッチ液ラインを流れる前記吸収液の一部を前記再生塔に供給するための分岐リッチ液ラインと、
を備え、
前記分岐リッチ液ラインは、
前記主リッチ液ライン上において前記第１加熱部よりも上流側に位置する第１分岐点から分岐する第１分岐部と、
前記主リッチ液ライン上において前記第１加熱部よりも下流側に位置する第２分岐点から分岐する第２分岐部と、を含み、
前記吸収液再生装置は、
前記第１分岐部を流れる前記吸収液の第１流量と、前記第２分岐部を流れる前記吸収液の第２流量との比を調節するための調節部をさらに備える。
【００１０】
上記（１）の構成によれば、第１分岐部を流れる比較的低温の吸収液の第１流量と、第１加熱部通過後に第２分岐部を流れる比較的高温の吸収液の第２流量との比を調節可能としたので、第１分岐部と第２分岐部との合流点よりも下流側での吸収液の温度、あるいは、主リッチ液ラインにおける第１加熱部よりも下流側の吸収液の温度を調節可能となる。
これにより、吸収液再生装置の吸収液由来の流体や、吸収液再生装置内で吸収液と熱交換される流体の温度を調節することができる。すなわち、吸収液再生装置から得られる流体の温度を所望の範囲に調節しやすくなる。
【００１１】
（２）幾つかの実施形態では、上記（１）の構成において、
前記調節部は、前記主リッチ液ラインから前記分岐リッチ液ラインに分流される前記吸収液の流量を調節可能に構成される。
【００１２】
上記（２）の構成によれば、上述のように第１流量と第２流量との比を調節可能であるのに加え、主リッチ液ラインから前記分岐リッチ液ラインに分流される前記吸収液の流量を調節可能としたので、熱交換器等における吸収液と熱媒体との熱交換量をより柔軟に調節することができる。よって、吸収液再生装置から得られる流体の温度をより柔軟に調節しやすくなる。
【００１３】
（３）幾つかの実施形態では、上記（１）又は（２）の構成において、
前記調節部は、前記第１分岐部に設けられ、前記第１流量を調節するための第１バルブ、または、前記第２分岐部に設けられ、前記第２流量を調節するための第２バルブの少なくとも一方を含む。
【００１４】
上記（３）の構成によれば、第１流量を調節するための第１バルブ又は第２流量を調節するための第２バルブの少なくとも一方を設けたので、第１流量と第２流量との比や、主リッチ液ラインから分岐リッチ液ラインに分流される吸収液の流量を調節しやすい。
例えば、第１バルブの調節により第１分岐部における第１流量を調節することで、第１加熱器通過後の吸収液（主リッチ液ラインのうち第１加熱器の下流側及び第２分岐部の吸収液）の温度を適切に調節することができる。また、第１バルブ及び／又は第２バルブの調節により、主リッチ液ライン及び分岐リッチ液ラインの各部を流れる吸収液の流量を適に調節することができる。
【００１５】
（４）幾つかの実施形態では、上記（１）乃至（３）の何れか一項の構成において、
前記調節部は、前記再生塔の塔頂部の温度が規定範囲内となるように、前記第１流量と前記第２流量の前記比を調節するように構成される。
【００１６】
再生塔において加熱された吸収液から放出されるＣＯ２ガスは、再生塔の塔頂部を経てから製品ＣＯ２として回収される。この点、上記（４）の構成によれば、再生塔の塔頂部の温度が規定範囲内となるように第１流量と第２流量の比を調節するようにしたので、この比を適切に設定することにより、吸収液再生装置から回収される製品ＣＯ２の温度を適切な範囲内に調節しやすくなる。
【００１７】
（５）幾つかの実施形態では、上記（１）乃至（４）の何れか一項の構成において、
前記調節部は、前記第２分岐部よりも下流側の前記主リッチ液ラインにおける前記吸収液の温度が規定範囲内となるように、前記第１流量と前記第２流量の前記比を調節するように構成される。
【００１８】
第２分岐部よりも下流側の主リッチ液ラインにおける吸収液の温度は、再生塔塔頂部の温度の指標となり得、該主リッチ液ラインにおける吸収液の温度が高いほど、再生塔塔頂部の温度が高くなる傾向がある。この点、上記（５）の構成によれば、第２分岐部よりも下流側の主リッチ液ラインにおける吸収液の温度が規定範囲内となるように第１流量と第２流量の比を調節するようにしたので、この比を適切に設定することにより、吸収液再生装置から回収される製品ＣＯ２の温度を適切な範囲内に調節しやすくなる。
【００１９】
（６）幾つかの実施形態では、上記（１）乃至（５）の何れかの構成において、
前記分岐リッチ液ラインは、前記第１分岐部と前記第２分岐部との合流点よりも下流側の部位である下流部を含み、
前記吸収液再生装置は、
前記再生塔から抜き出された吸収液を、蒸気との熱交換により加熱するための再生加熱器と、
前記再生加熱器に供給される蒸気が流れる蒸気ラインと、
前記蒸気ラインに設けられ、前記再生加熱器で前記吸収液を加熱した後の蒸気の凝縮水との熱交換により、前記下流部を流れる前記吸収液を加熱するように構成された第２加熱部と、をさらに備え、
前記調節部は、前記第２加熱部よりも下流側における前記蒸気ライン内の前記凝縮水の温度が規定範囲内となるように、前記第１流量と前記第２流量の前記比を調節するように構成される。
【００２０】
再生加熱器で前記吸収液を加熱した後の蒸気の凝縮水は、吸収液再生装置の内部や外部で利用されることがある。この点、上記（６）の構成によれば、第２加熱部よりも下流側における蒸気ライン内の凝縮水の温度が規定範囲内となるように第１流量と第２流量の比を調節するようにしたので、この比を適切に設定することにより、吸収液再生装置から得られる蒸気凝縮水の温度を適切な範囲内に調節しやすくなる。
【００２１】
（７）幾つかの実施形態では、上記（１）乃至（６）の何れかの構成において、
前記分岐リッチ液ラインは、前記第１分岐部と前記第２分岐部との合流点よりも下流側の部位である下流部を含み、
前記吸収液再生装置は、
前記再生塔から抜き出された吸収液を、蒸気との熱交換により加熱するための再生加熱器と、
前記再生加熱器に供給される蒸気が流れる蒸気ラインと、
前記蒸気ラインに設けられ、前記再生加熱器で前記吸収液を加熱した後の蒸気の凝縮水との熱交換により、前記下流部を流れる前記吸収液を加熱するように構成された第２加熱部と、をさらに備え、
前記調節部は、前記第２加熱部よりも上流側における前記下流部における前記吸収液の温度が規定範囲内となるように、前記第１流量と前記第２流量の前記比を調節するように構成される。
【００２２】
第２加熱部よりも上流側における分岐リッチ液ラインの下流部における吸収液の温度は、第２加熱部よりも下流側における蒸気ライン内の凝縮水の温度の指標となり得、上述の吸収液の温度が高いほど、上述の蒸気ライン内の凝縮水の温度は高くなる傾向がある。この点、上記（７）の構成によれば、第２加熱部よりも上流側における分岐リッチ液ラインの下流部における吸収液の温度が規定範囲内となるように第１流量と第２流量の比を調節するようにしたので、この比を適切に設定することにより、吸収液再生装置から得られる蒸気凝縮水の温度を適切な範囲内に調節しやすくなる。
【００２３】
（８）本発明の少なくとも一実施形態に係るＣＯ２回収装置は、、
ＣＯ２を含む排ガスと吸収液とを接触させて前記吸収液に前記排ガス中のＣＯ２を吸収させるように構成された吸収塔と、
前記（１）乃至（７）の何れか一項に記載の吸収液再生装置と、を備え、
前記主リッチ液ラインは、前記吸収塔にてＣＯ２を吸収した前記吸収液を、前記再生塔に供給するように構成される。
【００２４】
上記（８）の構成によれば、第１分岐部を流れる比較的低温の吸収液の第１流量と、第１加熱部通過後に第２分岐部を流れる比較的高温の吸収液の第２流量との比を調節可能としたので、第１分岐部と第２分岐部との合流点よりも下流側での吸収液の温度、あるいは、主リッチ液ラインにおける第１加熱部よりも下流側の吸収液の温度を調節可能となる。
これにより、吸収液再生装置内の吸収液由来の流体や、吸収液再生装置内で吸収液と熱交換される流体の温度を調節することができる。すなわち、吸収液再生装置から得られる流体の温度を所望の範囲に調節しやすくなる。
【００２５】
（９）本発明の少なくとも一実施形態に係る吸収液再生方法は、
ＣＯ２を吸収した吸収液を、主リッチ液ラインを介して前記再生塔に供給するステップと、
前記再生塔において、前記吸収液からＣＯ２を分離して前記吸収液を再生するステップと、
前記主リッチ液ラインに設けられた第１加熱部により、前記主リッチ液ラインを流れる前記吸収液を加熱するステップと、
前記主リッチ液ラインから分岐した分岐リッチ液ラインに、前記主リッチ液ラインを流れる前記吸収液の一部を分流させるステップと、を備え、
前記分流させるステップでは、
前記主リッチ液ライン上において前記第１加熱部よりも上流側に位置する第１分岐点から分岐する第１分岐部、及び、前記主リッチ液ライン上において前記第１加熱部よりも下流側に位置する第２分岐点から分岐する第２分岐部において前記吸収液の一部を分流させ、
前記第１分岐部を流れる前記吸収液の第１流量と、前記第２分岐部を流れる前記吸収液の第２流量との比を調節する調節ステップをさらに備える。
【００２６】
上記（９）の方法によれば、第１分岐部を流れる比較的低温の吸収液の第１流量と、第１加熱部通過後に第２分岐部を流れる比較的高温の吸収液の第２流量との比を調節可能としたので、第１分岐部と第２分岐部との合流点よりも下流側での吸収液の温度、あるいは、主リッチ液ラインにおける第１加熱部よりも下流側の吸収液の温度を調節可能となる。
これにより、吸収液再生装置の吸収液由来の流体や、吸収液再生装置内で吸収液と熱交換される流体の温度を調節することができる。すなわち、吸収液再生装置から得られる流体の温度を所望の範囲に調節しやすくなる。
【００２７】
（１０）幾つかの実施形態では、上記（９）の方法において、
前記調節ステップでは、前記主リッチ液ラインから前記分岐リッチ液ラインに分流される前記吸収液の流量を調節する。
【００２８】
上記（１０）の方法によれば、主リッチ液ラインから前記分岐リッチ液ラインに分流される前記吸収液の流量も調節可能としたので、吸収液由来の流体や、吸収液と熱交換される流体と、該吸収液との熱交換量をより柔軟に調節することができる。よって、吸収液再生装置から得られる流体の温度をより柔軟に調節しやすくなる。
【００２９】
（１１）幾つかの実施形態では、上記（９）又は（１０）の方法において、
前記調節ステップでは、前記第１分岐部に設けられた第１バルブで前記第１流量を調節する、または、前記第２分岐部に設けられた第２バルブで前記第２流量を調節する。
【００３０】
上記（１１）の方法によれば、第１流量を調節するための第１バルブ又は第２流量を調節するための第２バルブの少なくとも一方を設けたので、第１流量と第２流量との比や、主リッチ液ラインから分岐リッチ液ラインに分流される吸収液の流量を調節しやすい。
例えば、第１バルブの調節により第１分岐部における第１流量を調節することで、第１加熱器通過後の吸収液（主リッチ液ラインのうち第１加熱器の下流側及び第２分岐部の吸収液）の温度を適切に調節することができる。また、第１バルブ及び／又は第２バルブの調節により、主リッチ液ライン及び分岐リッチ液ラインの各部を流れる吸収液の流量を適に調節することができる。
【００３１】
（１２）幾つかの実施形態では、上記（９）乃至（１１）の何れかの方法において、
前記調節ステップでは、前記再生塔の塔頂部の温度が規定範囲内となるように、前記第１流量と前記第２流量の前記比を調節する。
【００３２】
再生塔において加熱された吸収液から放出されるＣＯ２ガスは、再生塔の塔頂部を経てから製品ＣＯ２として回収される。この点、上記（１２）の方法によれば、再生塔の塔頂部の温度が規定範囲内となるように第１流量と第２流量の比を調節するようにしたので、この比を適切に設定することにより、吸収液再生装置から回収される製品ＣＯ２の温度を適切な範囲内に調節しやすくなる。
【００３３】
（１３）幾つかの実施形態では、上記（９）乃至（１２）の何れか方法において、
前記調節ステップでは、前記第２分岐部よりも下流側の前記主リッチ液ラインにおける前記吸収液の温度が規定範囲内となるように、前記第１流量と前記第２流量の前記比を調節する。
【００３４】
第２分岐部よりも下流側の主リッチ液ラインにおける吸収液の温度は、再生塔塔頂部の温度の指標となり得、該主リッチ液ラインにおける吸収液の温度が高いほど、再生塔塔頂部の温度が高くなる傾向がある。この点、上記（１３）の方法によれば、第２分岐部よりも下流側の主リッチ液ラインにおける吸収液の温度が規定範囲内となるように第１流量と第２流量の比を調節するようにしたので、この比を適切に設定することにより、吸収液再生装置から回収される製品ＣＯ２の温度を適切な範囲内に調節しやすくなる。
【００３５】
（１４）幾つかの実施形態では、上記（９）乃至（１３）の何れかの方法において、
前記分岐リッチ液ラインは、前記第１分岐部と前記第２分岐部との合流点よりも下流側の部位である下流部を含み、
前記方法は、
前記再生塔から吸収液を抜き出し、該吸収液を再生加熱器にて蒸気との熱交換により加熱するステップと、
蒸気ラインを介して前記再生加熱器に前記蒸気を供給ステップと、
前記蒸気ラインに設けられた第２加熱部にて、前記再生加熱器で前記吸収液を加熱した後の蒸気の凝縮水との熱交換により、前記下流部を流れる前記吸収液を加熱するステップと、をさらに備え、
前記調節ステップでは、前記第２加熱部よりも下流側における前記蒸気ライン内の前記凝縮水の温度が規定範囲内となるように、前記第１流量と前記第２流量の前記比を調節する。
【００３６】
再生加熱器で前記吸収液を加熱した後の蒸気の凝縮水は、吸収液再生装置の内部や外部で利用されることがある。この点、上記（１４）の方法によれば、第２加熱部よりも下流側における蒸気ライン内の凝縮水の温度が規定範囲内となるように第１流量と第２流量の比を調節するようにしたので、この比を適切に設定することにより、吸収液再生装置から得られる蒸気凝縮水の温度を適切な範囲内に調節しやすくなる。
【００３７】
（１５）幾つかの実施形態では、上記（９）乃至（１４）の何れかの方法において、
前記分岐リッチ液ラインは、前記第１分岐部と前記第２分岐部との合流点よりも下流側の部位である下流部を含み、
前記方法は、
前記再生塔から吸収液を抜き出し、該吸収液を再生加熱器にて蒸気との熱交換により加熱するステップと、
蒸気ラインを介して前記再生加熱器に前記蒸気を供給ステップと、
前記蒸気ラインに設けられた第２加熱部にて、前記再生加熱器で前記吸収液を加熱した後の蒸気の凝縮水との熱交換により、前記下流部を流れる前記吸収液を加熱するステップと、をさらに備え、
前記調節ステップでは、前記第２加熱部よりも上流側における前記下流部における前記吸収液の温度が規定範囲内となるように、前記第１流量と前記第２流量の前記比を調節する。
【００３８】
第２加熱部よりも上流側における分岐リッチ液ラインの下流部における吸収液の温度は、第２加熱部よりも下流側における蒸気ライン内の凝縮水の温度の指標となり得、上述の吸収液の温度が高いほど、上述の蒸気ライン内の凝縮水の温度は高くなる傾向がある。この点、上記（１５）の方法によれば、第２加熱部よりも上流側における分岐リッチ液ラインの下流部における吸収液の温度が規定範囲内となるように第１流量と第２流量の比を調節するようにしたので、この比を適切に設定することにより、吸収液再生装置から得られる蒸気凝縮水の温度を適切な範囲内に調節しやすくなる。
【発明の効果】
【００３９】
本発明の少なくとも一実施形態によれば、吸収液再生装置から得られる流体の温度を調節しやすい吸収液再生装置及びＣＯ２回収装置並びに吸収液再生方法が提供される。
【図面の簡単な説明】
【００４０】
【図１】一実施形態に係る吸収液再生装置を備えたＣＯ２回収装置の概略図である。
【図２】一実施形態に係る吸収液再生装置を備えたＣＯ２回収装置の概略図である。
【発明を実施するための形態】
【００４１】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
【００４２】
図１及び図２は、それぞれ、本発明の一実施形態に係る吸収液再生装置を備えたＣＯ２回収装置の概略図である。図１及び図２に示すＣＯ２回収装置１は、発電設備や工場等から排出された排ガスからＣＯ２を回収するための装置である。同図に示すように、ＣＯ２回収装置１は、排ガス中のＣＯ２を吸収液に吸収させるための吸収塔２と、吸収塔２でＣＯ２を吸収した吸収液を再生するための再生塔６を含む吸収液再生装置４と、を備えている。吸収液再生装置４は、さらに、吸収塔２と再生塔６の間に設けられる主リッチ液ライン１０と、再生塔６に貯留された吸収液を加熱するための再生加熱器（リボイラ）２４と、再生塔６に貯留された吸収液を再生加熱器２４に導くように構成されたリボイラライン２０と、を含む。
【００４３】
工場等からの排ガスは、排ガス導入ライン８を介して吸収塔２に導入されるようになっている。なお、工場からの排ガスは、硫黄分の除去や冷却等の前処理を施してから、吸収塔２に導入されるようになっていてもよい。
【００４４】
吸収塔２は、排ガス中のＣＯ２ガスを吸収する吸収部３２と、吸収部３２の上方に設けられ、ＣＯ２ガス除去後の排ガスを水洗するための洗浄部３４と、洗浄部３４の上方に設けられ、排ガス中のミストを除去するためのデミスタ４０と、を備えている。
【００４５】
吸収部３２には、再生塔６の塔底部に貯留された吸収液（リーン液）が、リーン液ライン１６を介して供給されるようになっている。リーン液ライン１６には、リーン液を圧送するためのリーン液ポンプ１７が設けられている。排ガス導入ライン８を介して吸収塔２に流入した排ガスは、吸収塔２の塔底部側から吸収塔２内を上方に流れていき、吸収部３２へと流れ込み、吸収部３２において、該吸収部３２の上方から供給される吸収液（リーン液）と対向流接触するようになっている。これにより、排ガス中のＣＯ２が吸収液に吸収されて、排ガス中からＣＯ２が分離及び除去される。なお、吸収部３２は、任意の材質の充填物が充填された充填層によって形成されてもよい。
【００４６】
吸収液は、ＣＯ２吸収剤を含有する液体である。ＣＯ２吸収剤の種類は特に限定されないが、ＣＯ２吸収剤として、例えば、モノエタノールアミン、ジエタノールアミンに代表されるアルカノールアミン等のアミン類や、水酸化ナトリウム、水酸化カリウム及水酸化カルシウム等のアミン類以外の各種アルカリ水溶液を使用することができる。
【００４７】
吸収部３２において排ガス中のＣＯ２を吸収した吸収液は、吸収塔２の塔底部に下降し、該塔底部に貯留される。この吸収塔２の塔底部に貯留された吸収液は、後述する再生塔６の塔底部に貯留される吸収液（リーン液）に比べてＣＯ２濃度が高いリッチ液である。
【００４８】
洗浄部３４は、ＣＯ２除去後の排ガスに含まれるＣＯ２吸収剤を回収するため、該排ガスを水洗するように構成されている。洗浄部３４には、循環ライン３８からの洗浄水が上方から供給されるようになっている。洗浄部３４にて、ＣＯ２除去後の排ガスと洗浄水とを接触させることにより、排ガスに含まれるＣＯ２回収剤を洗浄水に溶解させて回収することができる。洗浄部３４の下方にはチムニートレイ３６が設けられている。洗浄部３４から降下してチムニートレイ３６に貯留された洗浄水は、循環ポンプ３９によって循環ライン３８を介して循環されて、再び、洗浄部３４の上方から洗浄部３４に供給される。
【００４９】
洗浄部３４でＣＯ２吸収剤が除去された排ガスは、洗浄部３４の上方に設けられたデミスタ４０を通過し、この際、排ガス中のミストが捕捉される。このようにしてミストが除去された排ガスは、吸収塔２の塔頂部４２より外部へ排出される。
【００５０】
吸収塔２の塔底部に貯留された吸収液（リッチ液）は、主リッチ液ライン１０を介して、吸収塔２から再生塔６に供給されるようになっている。主リッチ液ライン１０には、リッチ液を吸収塔２の塔底部から再生塔６に圧送するためのリッチ液ポンプ１１が設けられている。また、主リッチ液ライン１０には、主リッチ液ライン１０を流れるリッチ液と、後述するリーン液ライン１６を流れる吸収液（リーン液）とを熱交換するための第１熱交換器１８（第１加熱部）が設けられている。第１熱交換器１８にて比較的高温のリーン液との熱交換によりリッチ液を加熱することで、後述する再生塔６での吸収液の再生を促進することができる。
【００５１】
再生塔６は、リッチ液からＣＯ２ガスを放出させる放出部４４と、放出部４４の下方に設けられたチムニートレイ４６と、を含む。放出部４４は、充填材を有しており、主リッチ液ライン１０からの吸収液（リッチ液）が上方から供給されるようになっている。なお、図１に示す実施形態では、放出部４４は、第１放出部４４Ａと、第１放出部４４Ａよりも下方に位置する第２放出部４４Ｂと、を含む。
放出部４４では、上述のように供給されたリッチ液が、再生加熱器２４からの飽和蒸気により加熱されることによりＣＯ２ガスを放出し、相対的にＣＯ２の含有率が低い吸収液（リーン液）となる。放出部４４から降下したリーン液は、チムニートレイ４６に受け取られるようになっている。
【００５２】
放出部４４でリッチ液から放出されたＣＯ２ガスは、再生塔６内を放出部４４の上方に向かって上昇し、デミスタ４８にてガス中のミストが捕捉された後、再生塔６の頭頂部に接続された回収ライン２８を介して再生塔６から排出される。回収ライン２８には凝縮器３０が設けられている。凝縮器３０は、再生塔６から排出されたＣＯ２ガスを冷却水との熱交換により冷却して、ＣＯ２ガス中に含まれる水分を凝縮するように構成されている。このようにして、水分を除去されたＣＯ２ガスが製品として回収されるようになっている。なお、回収ライン２８において凝縮器３０の下流側に、ＣＯ２ガスと凝縮水とを分離するための気液分離器（不図示）が設けられていてもよい。
【００５３】
再生塔６には、再生加熱器２４が設けられるリボイラライン２０が接続される。リボイラライン２０は、再生塔６に貯留された吸収液を抜き出し、再生加熱器２４を介して再生塔６に戻すように構成される。再生加熱器２４は、リボイラライン２０を介して導かれる吸収液（リーン液）を、加熱媒体との熱交換により加熱するように構成される。再生加熱器２４には、加熱媒体としての蒸気が蒸気ライン２２を介して供給されるようになっている。
【００５４】
再生塔６内のチムニートレイ４６に受け取られたリーン液は、リボイラライン２０のうちリボイラ入口ライン２０ａを介して再生塔６から抜き出されて再生加熱器２４に導かれる。再生加熱器２４では、リボイラ入口ライン２０ａからのリーン液が、蒸気ライン２２からの蒸気との熱交換より加熱される。
【００５５】
再生加熱器２４において加熱されたリーン液は、その少なくとも一部が飽和蒸気に相変化し、気液混相状態でリボイラライン２０のうちリボイラ出口ライン２０ｂに排出される。再生加熱器２４から排出された吸収液（リーン液）は、リボイラ出口ライン２０ｂを介して再生塔６に戻されるようになっており、より具体的には、リボイラ出口ライン２０ｂを介して再生塔６の塔底部（チムニートレイ４６の下方）に導かれるようになっている。
【００５６】
リボイラ出口ライン２０ｂを介して再生塔６の底部に導かれた飽和蒸気は、チムニートレイ４６を介して再生塔６内を上昇し、上述したように、放出部４４にてリッチ液の加熱に用いられ、これによりリッチ液に含まれるＣＯ２ガスが放出される。
【００５７】
一方、リボイラ出口ライン２０ｂを介して再生塔６の塔底部に導かれたリーン液（即ち再生加熱器２４において相変化しなかったリーン液）は、再生塔６の塔底部に貯留される。このリーン液は、リーン液ライン１６を介して再生塔６の塔底部から抜き出され、リーン液ライン１６に設けられたリーン液ポンプ１７によって、吸収塔２の吸収部３２に供給される。このようにして吸収塔２に戻されたリーン液は、吸収部３２にて、排ガスに含まれるＣＯ２を吸収するための吸収液として再利用される。なお、リーン液ライン１６を流れるリーン液は、第１熱交換器１８において、主リッチ液ライン１０を流れるリッチ液との熱交換により冷却される。
【００５８】
吸収液再生装置４は、さらに、主リッチ液ライン１０から分岐する分岐リッチ液ライン１２を備えている。分岐リッチ液ライン１２は、主リッチ液ライン１０を流れる吸収液（リッチ液）の一部を再生塔６に供給するように構成されている。
【００５９】
分岐リッチ液ライン１２は、主リッチ液ライン１０上において第１熱交換器１８（第１加熱部）よりも上流側に位置する第１分岐点６１から分岐する第１分岐部１２ａと、主リッチ液ライン１０上において第１熱交換器１８よりも下流側に位置する第２分岐点６２から分岐する第２分岐部１２ｂと、を含む。また、分岐リッチ液ライン１２は、第１分岐部１２ａと第２分岐部１２ｂとの合流点よりも下流側の部位である下流部１２ｃを含む。
【００６０】
第１分岐部１２ａは第１熱交換器１８よりも上流側の位置にて主リッチ液ライン１０から分岐しているから、第１分岐部１２ａには、第１熱交換器１８によって加熱されていない吸収液が流入する。一方、第２分岐部１２ｂは、第１熱交換器１８よりも下流側の位置にて主リッチ液ライン１０から分岐しているから、第２分岐部１２ｂには、第１熱交換器１８によって加熱された吸収液が流入する。したがって、第２分岐部１２ｂを流れる吸収液の温度は、第１分岐部を流れる吸収液の温度よりも高い。
【００６１】
図１に示す例示的な実施形態では、分岐リッチ液ライン１２の下流部１２ｃは、再生塔６に接続されており、下流部１２ｃからの吸収液（リッチ液）が、第２放出部４４Ｂの上方に供給されるようになっている。このようにして第２放出部４４Ｂに供給された吸収液は、主リッチ液ライン１０から放出部４４Ａ，４４Ｂに供給された吸収液と同様に、再生加熱器２４からの飽和蒸気に加熱される。
【００６２】
図２に示す例示的な実施形態では、分岐リッチ液ライン１２の下流部１２ｃは、リボイラ出口ライン２０ｂに接続されている。下流部１２ｃを介してリボイラ出口ライン２０ｂに流入する吸収液（リッチ液）は、再生加熱器２４からリボイラ出口ライン２０ｂに排出された吸収液（リーン液）と合流してから、再生塔６の塔底部に流入するようになっている。
【００６３】
図１及び図２に示す吸収液再生装置４において、再生加熱器２４に供給される蒸気が流れる蒸気ライン２２には、第２熱交換器２６（第２加熱部）が設けられている。第２熱交換器２６は、再生加熱器２４で吸収液を加熱した後の蒸気の凝縮水と、分岐リッチ液ライン１２の下流部１２ｃを流れる吸収液とを熱交換するように構成されている。これにより、下流部１２ｃを流れる吸収液が加熱されるようになっている。
【００６４】
蒸気ライン２２を介して第２熱交換器２６に導入された蒸気凝縮水は、吸収液との熱交換により温度が低下し、第２熱交換器２６から排出される。このように第２熱交換器２６から排出された蒸気凝縮水は、ボイラ等の設備に供給されて利用されるようになっている。
【００６５】
吸収液再生装置４は、さらに、第１分岐部１２ａを流れる吸収液（リッチ液）の第１流量と、第２分岐部１２ｂを流れる吸収液（リッチ液）の第２流量との比を調節するための調節部６０をさらに備えている。
【００６６】
図１及び図２に示す例示的な実施形態では、調節部６０は、第１分岐部１２ａに設けられた第１バルブ１４、及び、第２分岐部１２ｂに設けられた第２バルブ１５を含む。第１バルブ１４は、第１分岐部１２ａを流れる吸収液の第１流量を調節するように構成されている。第２バルブ１５は、第２分岐部１２ｂを流れる吸収液の第２流量を調節するように構成されている。
なお、幾つかの実施形態では、吸収液再生装置４において、第１バルブ１４又は第２バルブ１５のうち一方のみが設けられていてもよい。
【００６７】
第１分岐部１２ａには、第１分岐部１２ａにおける吸収液の流量を計測するための流量センサ５０が設けられていてもよい。第２分岐部１２ｂには、第２分岐部１２ｂにおける吸収液の流量を計測するための流量センサ５１が設けられていてもよい。
【００６８】
調節部６０は、第１バルブ１４及び／又は第２バルブ１５の開度を調節するように構成された制御器（不図示）を含んでいてもよい。あるいは、第１バルブ１４及び／又は第２バルブ１５は、手動で操作されることにより、開度調節されるようになっていてもよい。
【００６９】
制御器は、流量センサ５０，５１の計測結果に基づいて、第１バルブ１４及び／又は第２バルブ１５の開度を調節するように構成されていてもよい。また、制御器は、吸収液再生装置４の所定位置に設けられた温度センサ７１〜７５の計測結果に基づいて、第１バルブ１４及び／又は第２バルブ１５の開度を調節するように構成されていてもよい。
【００７０】
既に述べたように、構成された吸収液再生装置４において、吸収液由来の流体や吸収液と熱交換した後の流体は、製品として回収したり、設備で利用したりすることができる。例えば、上述したように、再生塔６にて吸収液から放出されたＣＯ２ガス（吸収液由来の流体）は、再生塔６の塔頂部に接続された回収ライン２８を介して、製品ＣＯ２として回収されるようになっている。また、蒸気ライン２２において再生加熱器２４を通過した後の蒸気の凝縮水（吸収液と熱交換した後の流体）は、第２熱交換器２６にて下流部１２ｃを流れる吸収液と熱交換した後、ボイラ等の設備にて利用されるようになっている。このように吸収液再生装置４から得られる製品ＣＯ２や蒸気凝縮水等は、用途等に応じて所定の温度条件を満たすことが要求される。
【００７１】
一方、図１や図２に示す吸収液再生装置４のように、吸収塔２から再生塔６に向かう吸収液（リッチ液）の一部を分岐して再生塔６に導く方式の装置の場合、吸収塔頭頂部の温度が上昇する場合がある。
例えば、図１又は図２に示す吸収液再生装置４において、主リッチ液ライン１０の第１熱交換器１８よりも上流側の位置からの分岐流量（第１分岐部１２ａにおける吸収液の第１流量）が多いほど、第１熱交換器１８に供給される吸収液（リッチ液）が少なくなる。このため、主リッチ液ライン１０のうち第１熱交換器１８の下流側の温度が上昇し、このように温度が上昇されたリッチ液が、主リッチ液ライン１０を介して再生塔６に供給されることになる。ここで、再生塔６の塔頂部における温度は、主リッチ液ライン１０を介して供給されるリッチ液の温度に依存するため、再生塔６の塔頂部の温度も高くなる。このため、再生塔６の塔頂部及び回収ライン２８を経由して回収される製品ＣＯ２の温度も高くなり、製品として要求される温度条件を超えてしまう場合がある。
【００７２】
また、装置の運転条件（気温等）の変化により、装置から得られる流体の温度は変動し得るため、該流体の温度を適正範囲内に維持することができなくなる場合がある。
例えば、回収ライン２８に設けられる凝縮器３０に供給される冷却水の温度は、季節によって変動し、気温の高い夏季には冷却水温度は高くなり、気温の低い冬季には冷却水温度は低くなる。そして、凝縮器３０にて冷却されるＣＯ２ガスの温度は、冷却水温度の影響を受けるため、冷却水温度が高すぎたり低すぎたりすると、凝縮器３０を経てから回収されるＣＯ２の温度が温度条件から逸脱してしまう場合がある。
【００７３】
あるいは、第２熱交換器２６からの蒸気凝縮水は、供給先の設備（ボイラ等）において、設備構成の変更があった場合等に、該設備に供給する蒸気凝縮水の温度を変更する必要が生じる場合がある。
【００７４】
この点、上述の実施形態に係る吸収液再生装置４によれば、調節部６０により、第１分岐部１２ａを流れる比較的低温の吸収液の第１流量と、第１加熱部通過後に第２分岐部１２ｂを流れる比較的高温の吸収液の第２流量との比を調節することができる。よって、第１分岐部１２ａと第２分岐部１２ｂとの合流点よりも下流側の下流部１２ｃでの吸収液の温度Ｔ１（第１温度センサ７１の位置における温度）、あるいは、主リッチ液ライン１０における第１熱交換器１８よりも下流側の吸収液の温度Ｔ２（第２温度センサ７２の位置における温度）を調節可能となる。これにより、吸収液再生装置４の吸収液由来の流体（例えば製品ＣＯ２）や、吸収液再生装置４内で吸収液と熱交換される流体（例えば蒸気凝縮水）の温度を調節することができる。
【００７５】
上述の比Ｆ１／Ｆ２の調節は、第１バルブ１４又は第２バルブ１５の少なくとも一方の開度を調節することにより行ってもよい。
【００７６】
例えば、主リッチ液ライン１０における第１熱交換器１８よりも下流側の吸収液の温度Ｔ２を低下させる場合には、第１分岐部１２ａにおける比較的低温の吸収液の第１流量Ｆ１と、第２分岐部１２ｂにおける比較的高温の吸収液の第２流量Ｆ２との比Ｆ１／Ｆ２が小さくなるように、調節部６０（例えば、第１バルブ１４及び／又は第２バルブ１５）を調節すればよい。
また、例えば、分岐リッチ液ライン１２の下流部１２ｃでの吸収液の温度Ｔ１を上昇させる場合には、第１分岐部１２ａにおける比較的低温の吸収液の第１流量Ｆ１と、第２分岐部１２ｂにおける比較的高温の吸収液の第２流量Ｆ２との比Ｆ１／Ｆ２が小さくなるように、調節部６０（例えば、第１バルブ１４及び／又は第２バルブ１５）を調節すればよい。
【００７７】
このように、調節部６０によって、第１分岐部１２ａにおける比較的低温の吸収液の第１流量Ｆ１と、第２分岐部１２ｂにおける比較的高温の吸収液の第２流量Ｆ２との比Ｆ１／Ｆ２を適切に調節することで、吸収液再生装置４から得られる流体の温度を所望の範囲に調節しやすくなる。
【００７８】
調節部６０は、上述の第１流量Ｆ１と第２流量Ｆ２との比Ｆ１／Ｆ２を調節可能であるとともに、主リッチ液ライン１０から分岐リッチ液ライン１２（第１分岐部１２ａ及び第２分岐部１２ｂ））に分流される吸収液の流量である分岐流量（Ｆ１＋Ｆ２）を調節可能に構成されていてもよい。
上述の比Ｆ１／Ｆ２及び分岐流量（Ｆ１＋Ｆ２）の調節は、第１バルブ１４又は第２バルブ１５の少なくとも一方を調節することにより行ってもよい。
【００７９】
この場合、主リッチ液ライン１０から分岐リッチ液ライン１２に分流される吸収液の流量も調節可能としたので、例えば、第２熱交換器２６における分岐リッチ液ライン１２の下流部１２ｃを流れる吸収液と上記凝縮水との熱交換量をより柔軟に調節することができる。これにより、吸収液再生装置４から得られる流体（例えば蒸気凝縮水）の温度をより柔軟に調節しやすくなる。
【００８０】
幾つかの実施形態では、調節部６０は、再生塔６の塔頂部の温度Ｔ３が規定範囲内となるように、第１流量Ｆ１と第２流量Ｆ２の比Ｆ１／Ｆ２を調節するように構成されていてもよい。あるいは、調節部６０は、再生塔６の塔頂部の温度Ｔ３が規定範囲内となるように、上述の比Ｆ１／Ｆ２、並びに、第１流量Ｆ１及び第２流量Ｆ２を調節するように構成されていてもよい。なお、該塔頂部に連通する回収ライン２８における凝縮器３０よりも上流側の部分の温度（第３温度センサ７３の位置の温度）を、再生塔６の塔頂部の温度Ｔ３とみなしてもよい。
【００８１】
調節部６０は、例えば、回収ライン２８における凝縮器３０よりも上流側の位置に設けられた第３温度センサ７３の検出温度に基づいて、第１バルブ１４及び第２バルブ１５の開度を調節することにより、上述の比Ｆ１／Ｆ２や、第１流量Ｆ１及び第２流量Ｆ２を調節するようにしてもよい。
【００８２】
再生塔６において加熱された吸収液から放出されるＣＯ２ガスは、再生塔６の塔頂部を経てから製品ＣＯ２として回収される。この点、上述の実施形態では、再生塔６の塔頂部の温度が規定範囲内となるように第１流量Ｆ１及び第２流量Ｆ２、及び／又はこれらの比Ｆ１／Ｆ２を調節するようにしたので、これらの値を適切に設定することにより、吸収液再生装置４から回収される製品ＣＯ２の温度を適切な範囲内に調節しやすくなる。
【００８３】
幾つかの実施形態では、調節部６０は、第２分岐部１２ｂよりも下流側の主リッチ液ライン１０における吸収液の温度Ｔ２が規定範囲内となるように、第１流量Ｆ１と第２流量Ｆ２の比Ｆ１／Ｆ２を調節するように構成されていてもよい。あるいは、調節部６０は、第２分岐部１２ｂよりも下流側の主リッチ液ライン１０における吸収液の温度Ｔ２が規定範囲内となるように、上述の比Ｆ１／Ｆ２、並びに、第１流量Ｆ１及び第２流量Ｆ２を調節するように構成されていてもよい。
【００８４】
調節部６０は、例えば、主リッチ液ライン１０のうち第２分岐部１２ｂよりも下流側の位置に設けられた第２温度センサ７２の検出温度に基づいて、第１バルブ１４及び第２バルブ１５の開度を調節することにより、上述の比Ｆ１／Ｆ２や、第１流量Ｆ１及び第２流量Ｆ２を調節するようにしてもよい。
【００８５】
再生塔６では、主リッチ液ライン１０からの吸収液が飽和蒸気との気液接触により加熱され、これにより放出されるＣＯ２が塔頂部を介して回収ライン２８に流入する。したがって、第２分岐部１２ｂよりも下流側の主リッチ液ライン１０における吸収液の温度Ｔ２は、再生塔６の塔頂部の温度の指標となり得る。そして、該主リッチ液ライン１０における吸収液の温度が高いほど、再生塔６の塔頂部の温度が高くなる。この点、上述の実施形態によれば、第２分岐部１２ｂよりも下流側の主リッチ液ライン１０における吸収液の温度が規定範囲内となるように第１流量Ｆ１及び第２流量Ｆ２、及び／又はこれらの比Ｆ１／Ｆ２を調節するようにしたので、これらの値を適切に設定することにより、吸収液再生装置４から回収される製品ＣＯ２の温度を適切な範囲内に調節しやすくなる。
【００８６】
幾つかの実施形態では、調節部６０は、第２熱交換器２６よりも下流側における蒸気ライン２２内の凝縮水の温度Ｔ４が規定範囲内となるように、第１流量Ｆ１と第２流量Ｆ２の比Ｆ１／Ｆ２を調節するように構成されていてもよい。あるいは、調節部６０は、第２熱交換器２６よりも下流側における蒸気ライン２２内の凝縮水の温度Ｔ４が規定範囲内となるように、上述の比Ｆ１／Ｆ２、並びに、第１流量Ｆ１及び第２流量Ｆ２を調節するように構成されていてもよい。
【００８７】
調節部６０は、例えば、蒸気ライン２２のうち第２熱交換器２６よりも下流側の部位に設けられた第４温度センサ７４の検出温度に基づいて、第１バルブ１４及び第２バルブ１５の開度を調節することにより、上述の比Ｆ１／Ｆ２や、第１流量Ｆ１及び第２流量Ｆ２を調節するようにしてもよい。
【００８８】
上述の実施形態によれば、第２熱交換器２６よりも下流側における蒸気ライン２２内の凝縮水の温度が規定範囲内となるように第１流量Ｆ１及び第２流量Ｆ２、及び／又はこれらの比Ｆ１／Ｆ２を調節するようにしたので、これらの値を適切に設定することにより、吸収液再生装置４から得られる蒸気凝縮水の温度を適切な範囲内に調節しやすくなる。
【００８９】
幾つかの実施形態では、調節部６０は、第２熱交換器２６よりも上流側における下流部１２ｃにおける吸収液の温度Ｔ１が規定範囲内となるように、第１流量Ｆ１と第２流量Ｆ２の比Ｆ１／Ｆ２を調節するように構成されていてもよい。あるいは、調節部６０は、第２熱交換器２６よりも上流側における下流部１２ｃにおける吸収液の温度Ｔ１が規定範囲内となるように、上述の比Ｆ１／Ｆ２、並びに、第１流量Ｆ１及び第２流量Ｆ２を調節するように構成されていてもよい。
【００９０】
調節部６０は、例えば、分岐リッチ液ライン１２の下流部１２ｃのうち、第２熱交換器２６よりも上流側の位置に設けられた第１温度センサ７１の検出温度に基づいて、第１バルブ１４及び第２バルブ１５の開度を調節することにより、上述の比Ｆ１／Ｆ２や、第１流量Ｆ１及び第２流量Ｆ２を調節するようにしてもよい。
【００９１】
第２熱交換器２６よりも上流側における分岐リッチ液ライン１２の下流部１２ｃにおける吸収液と、第２熱交換器２６よりも下流側における蒸気ライン２２内の凝縮水とは、第２熱交換器２６において熱交換される。よって、第２熱交換器２６よりも上流側における下流部１２ｃにおける吸収液の温度Ｔ１は、第２熱交換器２６よりも下流側における蒸気ライン２２内の凝縮水の温度Ｔ４の指標となり得る。この点、上述の実施形態によれば、第２熱交換器２６よりも上流側における分岐リッチ液ライン１２の下流部１２ｃにおける吸収液の温度Ｔ１が規定範囲内となるように、第１流量Ｆ１及び第２流量Ｆ２、及び／又はこれらの比Ｆ１／Ｆ２を調節するようにしたので、これらの値を適切に設定することにより、吸収液再生装置４から得られる蒸気凝縮水の温度を適切な範囲内に調節しやすくなる。
【００９２】
図２に示す例示的な実施形態において、調節部６０は、下流部１２ｃのうち、第２熱交換器２６よりも下流側の位置における吸収液の温度Ｔ５が規定範囲内となるように、第１流量Ｆ１と第２流量Ｆ２の比Ｆ１／Ｆ２を調節するように構成されていてもよい。あるいは、下流部１２ｃのうち、第２熱交換器２６よりも下流側の位置における吸収液の温度Ｔ５が規定範囲内となるように、上述の比Ｆ１／Ｆ２、並びに、第１流量Ｆ１及び第２流量Ｆ２を調節するように構成されていてもよい。
【００９３】
調節部６０は、例えば、下流部１２ｃのうち、第２熱交換器２６よりも下流側の位置に設けられた第５温度センサ７５の検出温度に基づいて、第１バルブ１４及び第２バルブ１５の開度を調節することにより、上述の比Ｆ１／Ｆ２や、第１流量Ｆ１及び第２流量Ｆ２を調節するようにしてもよい。
【００９４】
リボイラ出口ライン２０ｂでは、吸収液（リーン液）を含む流体の流動状態によっては、リボイラ出口ライン２０ｂを構成する配管に振動が生じ得る。例えば、再生加熱器２４からの流れが気液混合の二相流であるとき、気相分と液相分の割合や流量等によって、この流れが塊状流（スラグ流）となる場合や、環状流（アニュラー流）となる場合がある。ここで、配管における流れが塊状流である場合には配管に振動が生じやすい。一方、配管における流れが環状流である場合には、配管の振動は生じにくい。
【００９５】
この点、上述の実施形態では、分岐リッチ液ライン１２の下流部１２ｃからの吸収液（リッチ液）をリボイラ出口ライン２０ｂに流入させて流量を増加させることができるとともに、該吸収液（リッチ液）の温度を調節可能である。これにより、リボイラ出口ライン２０ｂにおける流体の流動状態を効果的に調節して、配管の振動を効果的に抑制することができる。
【００９６】
以上、本発明の実施形態について説明したが、本発明は上述した実施形態に限定されることはなく、上述した実施形態に変形を加えた形態や、これらの形態を適宜組み合わせた形態も含む。
【００９７】
本明細書において、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
また、本明細書において、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
また、本明細書において、一の構成要素を「備える」、「含む」、又は、「有する」という表現は、他の構成要素の存在を除外する排他的な表現ではない。
【符号の説明】
【００９８】
１      ＣＯ２回収装置
２      吸収塔
４      吸収液再生装置
６      再生塔
８      排ガス導入ライン
１０    主リッチ液ライン
１１    リッチ液ポンプ
１２    分岐リッチ液ライン
１２ａ  第１分岐部
１２ｂ  第２分岐部
１２ｃ  下流部
１４    第１バルブ
１５    第２バルブ
１６    リーン液ライン
１７    リーン液ポンプ
１８    第１熱交換器
２０    リボイラライン
２０ａ  リボイラ入口ライン
２０ｂ  リボイラ出口ライン
２２    蒸気ライン
２４    再生加熱器
２６    第２熱交換器
２８    回収ライン
３０    凝縮器
３２    吸収部
３４    洗浄部
３６    チムニートレイ
３８    循環ライン
３９    循環ポンプ
４０    デミスタ
４２    塔頂部
４４    放出部
４４Ａ  第１放出部
４４Ｂ  第２放出部
４６    チムニートレイ
４８    デミスタ
５０    流量センサ
５１    流量センサ
６０    調節部
６１    第１分岐点
６２    第２分岐点
７１    第１温度センサ
７２    第２温度センサ
７３    第３温度センサ
７４    第４温度センサ
７５    第５温度センサ
【図１】
2020151662.tif 000003
【図２】
2020151662.tif 000004